(57)【要約】【課題】広い範囲を有する部位と狭い範囲を有する部位のいずれにも使用できる美容器を提供する。【解決手段】美容器は、第１回転体を有し、対象の部位と接触する第１接触部（２０Ａ）と、第２回転体を有し、対象の部位と接触する第２接触部（２０Ｂ）と、第１接触部（２０Ａ）が取り付けられた第１筐体部（１１）と、第２接触部（２０Ｂ）が取り付けられ、第１筐体部（１１）と分離可能な第２筐体部（１２）とを含む筐体を有する。第１筐体部（１１）及び第２筐体部（１２）の少なくとも一方には、第１筐体部（１１）と第２筐体部（１２）とが結合された状態において、第１回転体及び第２回転体を駆動し、第１筐体部（１１）と第２筐体部（１２）とが分離された状態において、第１回転体（２０Ａ）及び第２回転体（２０Ｂ）の少なくとも一方を駆動する少なくとも１の駆動部が収容される。【選択図】図９
2018023607.tif 000002
【特許請求の範囲】
【請求項１】
第１回転体を有し、対象の部位と接触する第１接触部と、
第２回転体を有し、前記対象の部位と接触する第２接触部と、
前記第１接触部が取り付けられた第１筐体部と、前記第２接触部が取り付けられ、前記第１筐体部と分離可能な第２筐体部とを含む筐体と、
前記第１筐体部及び前記第２筐体部の少なくとも一方に収容され、前記第１筐体部と前記第２筐体部とが結合された状態において、前記第１回転体及び前記第２回転体を駆動し、前記第１筐体部と前記第２筐体部とが分離された状態において、前記第１回転体及び前記第２回転体の少なくとも一方を駆動する少なくとも１の駆動部と
を備える美容器。
【請求項２】
前記少なくとも１の駆動部は、前記第１筐体部に収容される第１駆動部と、前記第２筐体部に収容される第２駆動部とを含み、
前記第１筐体部と前記第２筐体部とが結合された状態において、前記第１駆動部は前記第１回転体を駆動し、前記第２駆動部は前記第２回転体を駆動し、
前記第１筐体部と前記第２筐体部とが分離された状態において、前記第１駆動部は前記第１回転体を駆動する
請求項１に記載の美容器。
【請求項３】
前記第１筐体部は、外部電源が接続されるコネクタ又は電源を有し、
前記第１筐体部と前記第２筐体部とが結合された状態において、前記第１駆動部及び前記第２駆動部は、前記外部電源又は前記電源から電力の供給を受け、
前記第１筐体部と前記第２筐体部とが分離された状態において、前記第１駆動部は、前記外部電源又は前記電源から電力の供給を受ける
請求項２に記載の美容器。
【請求項４】
前記第１筐体部は、回転関節により連結された第１リンク部と第２リンク部とを含み、
前記第１リンク部又は前記第２リンク部は、前記回転関節を中心に、前記第１リンク部と前記第２リンク部とが成す角度が小さくなるように回転される
請求項１から３のいずれか１項に記載の美容器。
【請求項５】
前記筐体及び前記第１筐体部には、防水処理が施される
請求項１から４のいずれか１項に記載の美容器。
【発明の詳細な説明】
【技術分野】
【０００１】
本発明は、美容器に関する。
【背景技術】
【０００２】
駆動装置により駆動される複数の回転部を有する美容器が知られている。例えば特許文献１には、回転モータにより駆動されて回転軸の周りを回転する２つの施術部を有する美容装置が開示されている。
【先行技術文献】
【特許文献】
【０００３】
【特許文献１】特開２０１３−２４８２１７号公報
【発明の概要】
【発明が解決しようとする課題】
【０００４】
特許文献１に記載の技術のように複数の回転部を有する場合には、単一の回転部を有する場合に比べて、一度に広い範囲にわたって肌に刺激を与えることができる。しかし、このような構成の場合、顔等の狭い範囲を有する部位に美容器を使用するのは難しい。
本発明は、広い範囲を有する部位と狭い範囲を有する部位のいずれにも使用できる美容器を提供することを目的とする。
【課題を解決するための手段】
【０００５】
本発明は、第１回転体を有し、対象の部位と接触する第１接触部と、第２回転体を有し、前記対象の部位と接触する第２接触部と、前記第１接触部が取り付けられた第１筐体部と、前記第２接触部が取り付けられ、前記第１筐体部と分離可能な第２筐体部とを含む筐体と、前記第１筐体部及び前記第２筐体部の少なくとも一方に収容され、前記第１筐体部と前記第２筐体部とが結合された状態において、前記第１回転体及び前記第２回転体を駆動し、前記第１筐体部と前記第２筐体部とが分離された状態において、前記第１回転体及び前記第２回転体の少なくとも一方を駆動する少なくとも１の駆動部とを備える美容器を提供する。
【０００６】
前記少なくとも１の駆動部は、前記第１筐体部に収容される第１駆動部と、前記第２筐体部に収容される第２駆動部とを含み、前記第１筐体部と前記第２筐体部とが結合された状態において、前記第１駆動部は前記第１回転体を駆動し、前記第２駆動部は前記第２回転体を駆動し、前記第１筐体部と前記第２筐体部とが分離された状態において、前記第１駆動部は前記第１回転体を駆動してもよい。
【０００７】
前記第１筐体部は、外部電源が接続されるコネクタ又は電源を有し、前記第１筐体部と前記第２筐体部とが結合された状態において、前記第１駆動部及び前記第２駆動部は、前記外部電源又は前記電源から電力の供給を受け、前記第１筐体部と前記第２筐体部とが分離された状態において、前記第１駆動部は、前記外部電源又は前記電源から電力の供給を受けてもよい。
【０００８】
前記第１筐体部は、回転関節により連結された第１リンク部と第２リンク部とを含み、前記第１リンク部又は前記第２リンク部は、前記回転関節を中心に、前記第１リンク部と前記第２リンク部とが成す角度が小さくなるように回転されてもよい。
【０００９】
前記筐体及び前記第１筐体部には、防水処理が施されてもよい。
【発明の効果】
【００１０】
本発明によれば、広い範囲を有する部位と狭い範囲を有する部位のいずれにも使用できる美容器を提供することができる。
【図面の簡単な説明】
【００１１】
【図１】美容器１の筐体１０の平面図。
【図２】筐体１０の側面図。
【図３】回転部２０Ａの外観を示す図。
【図４】回転部２０Ａ及び２０Ｂを取り付ける様子を示す図。
【図５】筐体部１１に取り付けられた回転部２０Ａを図４中の矢印I方向から見た図。
【図６】美容器１の電気的構成を示す図。
【図７】開いた状態の美容器１の側面図。
【図８】閉じた状態の美容器１の側面図。
【図９】筐体１０が分離される様子を示す図。
【図１０】図９中の矢印II方向から筐体部１１の結合面１１０を見た図。
【図１１】図９中の矢印III方向から筐体部１２の結合面１２０を見た図。
【図１２】筐体部１１と筐体部１２とが結合された状態における美容器１の使用方法を説明する図。
【図１３】メインユニット２単体の使用方法を説明する図。
【図１４】変形例に係る回転部９０の外観を示す図。
【発明を実施するための形態】
【００１２】
構成
図１は、本実施形態に係る美容器１の筐体１０の平面図である。図２は、筐体１０の側面図である。美容器１は、顔や体の肌に接触して物理的な刺激を与える。これにより、リンパの流れや血行が良くなる等の美容効果が期待できる。
【００１３】
筐体１０は、上から見たときに楕円形の中央の部分がくびれた形状を有する。また、筐体１０は、横から見たときにアーチ形状を有する。使用者は、筐体１０のくびれた部分を持って美容器１を使用する。筐体１０は、分離可能な筐体部１１（第１筐体部の一例）と筐体部１２（第２筐体部の一例）により構成される。筐体部１１及び１２は、例えばプラスチックを射出成形することにより形成される。なお、筐体部１１及び１２は、複数のパーツを組み合わせて形成されてもよいし、ブロー成形により一体形成されてもよい。
【００１４】
筐体部１１の端部の底面には、カバー１３が設けられる。筐体部１２の端部の底面には、カバー１４が設けられる。カバー１３及び１４は、それぞれ筐体部１１及び１２と一体に形成されてもよい。カバー１３及び１４は、それぞれ図中の矢印−Ｚ方向に開口する円形の開口部１３ａ及び１４ａを有する。また、カバー１３及び１４の内面の中央部には、それぞれ孔１３ｂ及び１４ｂが形成される。孔１３ｂには、筐体部１１の内側から軸４１Ａが挿入される。この軸４１Ａは、孔１３ｂを貫通して開口部１３ａに向かう方向に突出する。孔１４ｂには、筐体部１２の内側から軸４１Ｂが挿入される。この軸４１Ｂは、孔１４ｂを貫通して開口部１４ａに向かう方向に突出する。軸４１Ａ及び４１Ｂの先端は、いずれも六角柱の形状に形成される。
【００１５】
カバー１３には、回転部２０Ａ（第１接触部の一例）が取り付けられる。このとき、回転部２０Ａの一部は、開口部１３ａから外部に露出する。カバー１３は、回転部２０Ａの残りの部分を覆う。カバー１４には、回転部２０Ｂ（第２接触部の一例）が取り付けられる。このとき、回転部２０Ｂの一部は、開口部１４ａから外部に露出する。カバー１４は、回転部２０Ｂの残りの部分を覆う。
【００１６】
図３は、回転部２０Ａの外観を示す図である。図４は、回転部２０Ａ及び２０Ｂを取り付ける様子を示す図である。図５は、筐体部１１に取り付けられた回転部２０Ａを図４中の矢印I方向から見た図である。
【００１７】
回転部２０Ａは、支持部材２１と、３つの軸２２と、６つの回転体２３（第１回転体の一例）とを備える。支持部材２１は、図５に示すように、平たい三角柱の辺がくびれるとともに、頂点の角が丸まった形状を有する。支持部材２１のカバー１３と対向する面には、保持部２１ａが設けられる。
【００１８】
保持部２１ａには、軸４１Ａに対応する形状の溝２１ｂが形成される。この溝２１ｂには、軸４１Ａが嵌め込まれる。これにより、支持部材２１が軸４１Ａに固定される。軸４１Ａが回転すると、支持部材２１は軸４１Ａとともに回転する。
【００１９】
支持部材２１の頂点部分の側面には、３つの軸２２がそれぞれ突出するように設けられる。これらの軸２２は、所定の角度間隔で設けられる。例えば、３つの軸２２は、図４中の矢印I方向から見たときに、それぞれ１２０度ずつ間隔が開くように設けられる。各軸２２は、回転体２３を２つずつ回転可能に支持する。
【００２０】
各回転体２３は、平たい円柱形状を有する。各回転体２３には、図５に示すように、底面の中心から上面の中心を貫通する孔２３ａが形成される。この孔２３ａには、軸２２が挿入される。回転体２３の円周は、ゴムや発泡プラスチック等の素材で形成された弾性部材で覆われる。回転体２３の円周には、同様の弾性部材で形成された複数の突起２３ｂが設けられる。この突起２３ｂは、使用者の肌に刺激を与える役割を果たす。なお、図３〜５に示す突起２３ｂの数は例示であり、突起２３ｂの数はこれに限定されない。
【００２１】
支持部材２１が回転すると、６つの回転体２３は、図４に示す軸Ｚを中心に周回する。また、回転部２０Ａが使用者の肌に接触すると、肌との摩擦により、各回転体２３は軸２２を中心に回転する。
【００２２】
回転部２０Ｂは、回転部２０Ａと同様に、支持部材２１と、３つの軸２２と、６つの回転体２３（第２回転体の一例）とを備える。回転部２０Ｂの構成は、回転部２０Ａの構成と同様であるため、その説明を省略する。
【００２３】
図６は、美容器１の電気的構成を示す図である。筐体部１１は、制御部３０、駆動部４０Ａ（第１駆動部の一例）、電池７０（電源の一例）を収容する。また、筐体部１１の上面には、図１に示すように、ボタン５１及びディスプレイ６０が設けられる。筐体部１１の一方の側面には、図２に示すように、電源コネクタ８０（外部電源が接続されるコネクタの一例）が設けられる。筐体部１２は、駆動部４０Ｂ（第２駆動部の一例）を収容する。
【００２４】
制御部３０は、プロセッサ及びメモリを備える。プロセッサは、メモリに記憶されたプログラムに従って美容器１の各部を制御する。プロセッサとしては、例えばＣＰＵ（Central Processing Unit）が用いられる。メモリとしては、例えばＲＯＭ（Read Only Memory）及びＲＡＭ（Random Access Memory）が用いられる。
【００２５】
駆動部４０Ａは、制御部３０の制御の下、回転部２０Ａを駆動して回転させる。駆動部４０Ａは、モータを備える。このモータには、軸４１Ａが接続される。駆動部４０Ａは、軸４１Ａを介して回転部２０Ａに接続される。なお、駆動部４０Ａは、さらにギア等の伝達機構を介して回転部２０Ａに接続されてもよい。
【００２６】
駆動部４０Ｂは、制御部３０の制御の下、回転部２０Ｂを駆動して回転させる。駆動部４０Ｂは、モータを備える。このモータには、軸４１Ｂが接続される。駆動部４０Ｂは、軸４１Ｂを介して回転部２０Ｂに接続される。なお、駆動部４０Ｂは、駆動部４０Ａと同様に、さらにギア等の伝達機構を介して回転部２０Ｂに接続されてもよい。
【００２７】
ボタン５１は、電源又は動作モードを切り替える操作に用いられる。美容器１は、例えば第１動作モードから第４動作モードの４つの動作モードを有する。制御部３０は、ボタン５１が１回押されると、電源をオンにし、第１動作モードで美容器１を動作させる。第１動作モードは、回転部２０Ａ及び回転部２０Ｂが低速で回転する動作モードである。２回目にボタン５１が押されると、制御部３０は、第１動作モードから第２動作モードに切り替える。第２動作モードは、回転部２０Ａ及び回転部２０Ｂが高速で回転する動作モードである。３回目にボタン５１が押されると、制御部３０は、第２動作モードから第３動作モードに切り替える。第３動作モードは、回転部２０Ａ及び回転部２０Ｂが低速で逆回転する動作モードである。４回目にボタン５１が押されると、制御部３０は、第３動作モードから第４動作モードに切り替える。第４動作モードは、回転部２０Ａ及び回転部２０Ｂが高速で逆回転する動作モードである。５回目にボタン５１が押されると、制御部３０は、美容器１の電源をオフにする。
【００２８】
ディスプレイ６０は、電池７０の残量や動作モード等の情報を表示する。ディスプレイ６０としては、例えばＬＥＤ（light emitting diode）ディスプレイが用いられる。
【００２９】
電池７０は、美容器１の各部に電力を供給する。電池７０としては、例えばリチウムイオン蓄電池が用いられる。
【００３０】
電源コネクタ８０は、図示せぬ電源アダプタが接続される。電源アダプタが接続されると、外部の商用電源（外部電源の一例）から電源アダプタを介して電力が供給される。この電力は、美容器１の各部に供給される。また、この電力により、電池７０が充電される。
【００３１】
次に、図７及び８を用いて、美容器１の角度調整機構について説明する。図７は、開いた状態の美容器１の側面図である。図８は、閉じた状態の美容器１の側面図である。
【００３２】
筐体部１１は、回転関節１５により連結されたリンク部１６（第１リンク部の一例）とリンク部１７（第２リンク部の一例）とを備える。リンク部１６は、回転関節１５を中心に回転可能に連結される。筐体部１１の側面には、角度を変更する操作に用いられるボタン５２が設けられる。
【００３３】
開いた状態において、リンク部１６は、リンク部１６とリンク部１７とが成す角度がα１になる位置で固定される。この角度を変更する場合、使用者は、ボタン５２を押しながら、図７中の矢印Ｐ方向に沿ってリンク部１６に力を加えて回転させる。ボタン５２が押されると、リンク部１６の固定が解除される。そして、リンク部１６は、使用者に加えられた力により、回転関節１５を中心に矢印Ｐ方向に回転する。これにより、リンク部１６とリンク部１７とが成す角度が小さくなる。そして、この角度がα２になると、リンク部１６は再び固定される。これにより、美容器１は、図８に示す閉じた状態となる。閉じた状態においては、開いた状態に比べて、回転部２０Ａと回転部２０Ｂとの間の距離が小さくなる。なお、リンク部１６の固定は、周知の機構を用いて行われればよい。この周知の機構としては、例えば特開２０１２−１０５７０１号公報に記載されたものであってもよい。
【００３４】
次に、図９、１０、及び１１を用いて、美容器１の分離構造について説明する。図９は、筐体１０が分離される様子を示す図である。図１０は、図９中の矢印II方向から筐体部１１の結合面１１０を見た図である。図１１は、図９中の矢印III方向から筐体部１２の結合面１２０を見た図である。
【００３５】
筐体１０は、筐体部１１と筐体部１２とに分離可能である。筐体部１１の上面及び筐体部１２の底面には、筐体１０を分離する操作に用いられるボタン５３及び５４がそれぞれ設けられる。
【００３６】
筐体部１１は、筐体部１２と結合された状態のときに筐体部１２と接触する円形の結合面１１０を備える。結合面１１０は、突出した縁１１１を有する。結合面１１０の中央部には、溝１１２及び突出部１１３が設けられる。溝１１２は、後述する受座１２２に対応する形状を有する。突出部１１３は、図示せぬばね等の弾性体により図中の矢印Ｆ方向に付勢される。また、結合面１１０には、溝１１２を挟んで２つのメス側のコネクタ１１４が設けられる。
【００３７】
筐体部１２は、筐体部１１と結合された状態のときに筐体部１１と接触する円形の結合面１２０を備える。結合面１２０は、窪んだ縁１２１を有する。結合面１２０の中央部には、受座１２２が設けられる。受座１２２は、ネジ等の締結部材により結合面１２０に固定される。受座１２２には、突出部１１３と対応する形状の孔１２２ａが形成される。受座１２２と結合面１２０との間には、孔１２２ａに繋がり‐Ｚ方向に開口する間隙１２２ｂが形成される。また、結合面１２０には、２つのメス側のコネクタ１１４と対応する位置に、２つのオス側のコネクタ１２３がそれぞれ設けられる。これらのコネクタ１１４及び１２３は、電池７０又は電源コネクタ８０と駆動部４０Ｂとを電気的に接続する。
【００３８】
筐体１０を分離する場合、使用者は、ボタン５３及びボタン５４を同時に押して、筐体部１２を図９中の矢印Ｑ方向に引っ張る。ボタン５３及びボタン５４が押されると、突出部１１３は、図示せぬ押圧機構により、図１１中の矢印Ｆ方向と逆方向に押し下げられる。これにより、突出部１１３が受座１２２から外れ、筐体部１１と筐体部１２が分離される。
【００３９】
このとき、２つのオス側のコネクタ１２３は、２つのメス側のコネクタ１１４からそれぞれ引き抜かれる。これにより、駆動部４０Ｂと電池７０及び電源コネクタ８０との電気的な接続が切断される。この場合、駆動部４０Ｂには電力が供給されなくなるため、駆動部４０Ｂは動作を停止し、回転部２０Ｂは駆動されなくなる。一方、筐体１０が分離された状態においても、駆動部４０Ａと電池７０及び電源コネクタ８０との電気的な接続は維持される。そのため、駆動部４０Ａは、電池７０又は外部の商用電源から電力の供給を受けて動作し、回転部２０Ａを駆動する。
【００４０】
美容器１を結合する場合、使用者は、結合面１１０の縁１１１と結合面１２０の縁１２１とを合わせて、突出部１１３を受座１２２に差し込む。突出部１１３は、図１０に示す矢印Ｆ方向に付勢力を有する。そのため、突出部１１３は、孔１２２ａに挿入された後、図１１中の矢印Ｆ方向に移動することによって、その端部が間隙１２２ｂに挿入される。これにより、筐体部１１と筐体部１２とが結合される。
【００４１】
このとき、２つのオス側のコネクタ１２３は、２つのメス側のコネクタ１１４にそれぞれ挿入される。これにより、これらのコネクタ１１４及び１２３を介して、駆動部４０Ｂと電池７０又は電源コネクタ８０とが電気的に接続される。この場合、駆動部４０Ａ及び４０Ｂは、電池７０又は外部の商用電源から電力の供給を受けて動作し、回転部２０Ａ及び回転部２０Ｂを駆動する。
【００４２】
なお、以下の説明では、美容器１のうち、筐体部１１と、回転部２０Ａと、制御部３０と、駆動部４０Ａと、ボタン５１と、ボタン５２と、ボタン５３と、ディスプレイ６０と、電池７０とを備える部分をメインユニット２という。また、美容器１のうち、筐体部１２と、回転部２０Ｂと、駆動部４０Ｂと、ボタン５４とを備える部分をサブユニット３という。
【００４３】
美容器１の筐体１０、筐体部１１、及び筐体部１２には、それぞれ防水処理が施される。例えば筐体１０、筐体部１１、及び筐体部１２は、外部から水が浸入しないようにシーリングされる。
【００４４】
次に、図１２及び１３を参照して、美容器１の使用方法について説明する。図１２は、筐体部１１と筐体部１２とが結合された状態における美容器１の使用方法を説明する図である。図１３は、メインユニット２単体の使用方法を説明する図である。
【００４５】
お腹やおしりなど広い範囲を有する部位には、例えば図１２に示すように、筐体部１１と筐体部１２とが結合された状態で美容器１が使用される。使用者がボタン５１を押して電源をオンにすると、駆動部４０Ａ及び４０Ｂにより回転部２０Ａ及び２０Ｂがそれぞれ駆動されて回転する。使用者は、筐体１０の中央部を持って、回転部２０Ａ及び２０Ｂを対象の部位に軽く押し当てて、ゆっくりと移動させる。これにより、回転部２０Ａ及び２０Ｂが対象の部位に接触し、複数の回転体２３が肌の上を滑らかに転がる。これにより、肌に刺激が与えられる。筐体部１１と筐体部１２とが結合された状態においては、回転部２０Ａ及び２０Ｂの両方が用いられるため、一度に広い範囲にわたって肌に刺激が与えられる。
【００４６】
また、ふくらはぎや二の腕等の部位には、例えば図８に示すように、美容器１が閉じた状態で使用されてもよい。この場合、回転部２０Ａと回転部２０Ｂとの間の距離が小さくなるため、ふくらはぎや二の腕等の部位にもしっかりと接触する。
【００４７】
一方、顔等の狭い範囲を有する部位には、例えば筐体１０が分離され、図１３に示すようにメインユニット２単体で使用される。使用者がボタン５１を押して電源をオンにすると、駆動部４０Ａにより回転部２０Ａが駆動されて回転する。使用者は、筐体部１１の端部を持って、回転部２０Ａを対象の部位に軽く押し当てて、ゆっくりと移動させる。これにより、回転部２０Ａが対象の部位に接触し、複数の回転体２３が肌の上を滑らかに転がる。これにより、肌に刺激が与えられる。メインユニット２単体で使用する場合には、単一の回転部２０Ａだけが用いられるため、狭い範囲の部位にもしっかりと接触する。なお、筐体１０が分離された状態において、サブユニット３は動作しない。
【００４８】
また、使用者は、ボタン５１を押して動作モードを変更してもよい。例えば、肌に弱い刺激を与える場合、使用者は、美容器１の動作モードを第１動作モード又は第３動作モードに変更してもよい。一方、肌に強い刺激を与える場合、使用者は、美容器１の動作モードを第２動作モード又は第４動作モードに変更してもよい。
【００４９】
さらに、上述したように、筐体１０及び筐体部１１には、いずれも防水処理が施されている。したがって、美容器１及びメインユニット２は、それぞれ浴室等の水気のある場所で使用されてもよい。
【００５０】
本実施形態では、筐体部１１と筐体部１２とが結合された状態においては、２つの回転部２０Ａ及び２０Ｂが用いられるため、一度に広い範囲の肌に刺激を与えることができる。これにより、広い範囲を有する部位に効率よく刺激を与えることができる。一方、筐体１０が筐体部１１と筐体部１２とに分離された状態においては、メインユニット２単体で使用することができる。メインユニット２においては単一の回転部２０Ａだけが用いられるため、狭い範囲を有する部位にもしっかりと接触する。これにより、狭い範囲を有する部位にも効果的に刺激を与えることができる。このように、本実施形態に係る美容器１は、広い範囲を有する部位と狭い範囲を有する部位とのいずれにも使用することができる。
【００５１】
変形例
上述した実施形態は、本発明の一例である。この実施形態は、以下のように変形してもよい。また、以下の変形例を組み合わせて実施してもよい。
【００５２】
変形例１
筐体部１１及び１２には、上述した実施形態で説明した回転部２０Ａ及び２０Ｂに代えて、２つの回転部９０がそれぞれ取り付けられてもよい。
【００５３】
図１４は、変形例に係る回転部９０の外観を示す図である。回転部９０は、支持部材９１と、３つの軸９２と、３つの回転体９３とを備える。支持部材９１は、平たい円柱形状を有する。支持部材９１のカバー１３又は１４と対向する面には、実施形態で説明した保持部２１ａと同様の保持部９１ａが設けられる。
【００５４】
支持部材９１の側面には、３つの軸９２がそれぞれ突出するように設けられる。これらの軸９２は、軸２２と同様に、所定の角度間隔で設けられる。各軸９２は、回転体９３を１つずつ回転可能に支持する。各回転体９３は、例えば金属製の球体である。各回転体９３には、回転体９３の中心を貫通する図示せぬ孔が形成される。この孔には軸９２が挿入される。回転体９３の周面には、軸２２の延びる方向に沿って、複数の溝９３ａが形成される。これらの溝９３ａは、使用者の肌に刺激を与える役割を果たす。なお、図に示された溝９３ａの数は例示であり、溝９３ａの数はこれに限定されない。
【００５５】
支持部材９１が回転すると、３つの回転体９３は、図４に示す軸Ｚを中心に周回する。また、これらの回転体９３が使用者の肌に接触すると、肌との摩擦により、各回転体９３が軸９２を中心に回転する。
【００５６】
変形例２
上述した実施形態では、リンク部１６とリンク部１７とが成す角度がα１とα２の２段階に変更されていたが、この角度が３段階以上の角度に変更されてもよい。
【００５７】
変形例３
上述した実施形態では、筐体１０が分離された状態においては、メインユニット２は動作する一方、サブユニット３は動作しない構成を採用していた。しかし、筐体１０が分離された状態において、メインユニット２とサブユニット３の両方が動作してもよい。この場合、筐体部１２には、電池又は電源アダプタが接続される電源コネクタが設けられる。筐体１０が分離された状態において、駆動部４０Ｂは、電池又は外部の商用電源から電力の供給を受けて動作し、回転部２０Ｂを駆動する。
【００５８】
変形例４
上述した実施形態において、筐体部１１と筐体部１２とが結合された状態であるか分離された状態であるかに応じて、美容器１の動作モードを制御してもよい。この場合、美容器１には、筐体１０が分離された状態を検知するセンサーが設けられる。筐体１０が分離された状態においては、メインユニット２が単体で顔に使用されることが想定される。顔は皮膚が薄いため、強い刺激を与えるのは好ましくない。したがって、センサーにより筐体１０が分離された状態が検知された場合、制御部３０は、回転部２０Ａが高速で回転する動作モード、すなわち第２動作モード及び第４動作モードでの動作を禁止してもよい。
【００５９】
変形例５
上述した実施形態では、美容器１は回転部２０Ａと回転部２０Ｂの２つの回転部を備えていたが、回転部の数は２つに限定されない。美容器１は、３つ以上の回転部を備えていてもよい。また、この場合、メインユニット２は２つ以上の回転部を備えてもよい。
【００６０】
上述した実施形態では、美容器１は駆動部４０Ａと駆動部４０Ｂの２つの駆動部を備えていたが、駆動部の数は２つに限定されない。美容器１は、１つの駆動部だけを備えていてもよいし、３つ以上の駆動部を備えていてもよい。なお、駆動部の数より回転部の数が多い場合には、１つの駆動部が複数の回転部を駆動する。
【００６１】
上述した実施形態において、筐体１０が分離される位置は、図９に示す位置に限定されない。筐体１０は、回転部２０Ａが取り付けられる位置と回転部２０Ｂが取り付けられる位置の間であれば、どの位置で分離されてもよい。
【００６２】
上述した実施形態において、電池７０は、二次電池に限定されない。電池７０は、乾電池等の一次電池であってもよい。他の例として、美容器１は、太陽電池や手回し発電機などの電源を備えていてもよい。
【符号の説明】
【００６３】
１…美容器、１０…筐体、１１…筐体部（第１筐体部）、１２…筐体部（第２筐体
部）、１５…回転関節、１６…リンク部（第１リンク部）、１７…リンク部（第２リ
ンク部）、２０Ａ…回転部（第１接触部）、２０Ｂ…回転部（第２接触部）、２３…
回転体（第１回転体）（第２回転体）、４０Ａ…駆動部（第１駆動部）、４０Ｂ…駆
動部（第２駆動部）、７０…電池（電源）、８０…電源コネクタ（コネクタ）
【図１】
2018023607.tif 000003
【図２】
2018023607.tif 000004
【図３】
2018023607.tif 000005
【図４】
2018023607.tif 000006
【図５】
2018023607.tif 000007
【図６】
2018023607.tif 000008
【図７】
2018023607.tif 000009
【図８】
2018023607.tif 000010
【図９】
2018023607.tif 000011
【図１０】
2018023607.tif 000012
【図１１】
2018023607.tif 000013
【図１２】
2018023607.tif 000014
【図１３】
2018023607.tif 000015
【図１４】
2018023607.tif 000016